(57)【要約】【課題】サイドウォール部にゴムの補強層を有するランフラットタイヤ用の生タイヤ基体を所定の形状に的確に成形する。【解決手段】予め円筒状に成形されている生タイヤ基体を、軸方向に圧縮すると共に拡径してトロイダル形状に変形させるランフラットタイヤ用成形シェーピング装置であって、前記生タイヤ基体の軸線方向の中央領域を挟む左右両側領域のみに夫々対応するように、軸方向に隔設された左右対称のサイド膨出用のシェーピングブラダー分割体を備え、これらサイド膨出用のシェーピングブラダー分割体を膨張時にサイドウォール部となる領域に直接に接触させて膨出させる構成としていることを特徴とするランフラットタイヤ用成形シェーピング装置を提供する。【選択図】図１
2007296744.tif 000002
【特許請求の範囲】
【請求項１】
予め円筒状に成形されている生タイヤ基体を、軸方向に圧縮すると共に拡径してトロイダル形状に変形させるランフラットタイヤ用成形シェーピング装置であって、
前記生タイヤ基体の軸線方向の中央領域を挟む左右両側領域のみに夫々対応するように、軸方向に隔設された左右対称のサイド膨出用のシェーピングブラダー分割体を備え、これらサイド膨出用のシェーピングブラダー分割体を膨張時にサイドウォール部となる領域に直接に接触させて膨出させる構成としていることを特徴とするランフラットタイヤ用成形シェーピング装置。
【請求項２】
前記左右対称のサイド膨出用のシェーピングブラダー分割体間に、さらに、トレッド部となる前記中央領域に対応するセンター膨出用のシェーピングブラダー分割体を備え、
前記サイド膨出用のシェーピングブラダー分割体と前記センター膨出用シェーピングブラダー分割体との膨張で、前記生タイヤ基体の全体を膨出させる構成としている請求項１に記載のランフラットタイヤ用成形シェーピング装置。
【請求項３】
前記センター膨出用のシェーピングブラダー分割体と前記サイド膨出用のシェーピングブラダー分割体の加圧用流体の供給経路を別経路とし、かつ、
前記サイド膨出用のシェーピングブラダー分割体とセンター膨出用のシェーピングブラダー分割体への流体圧力および流体供給時期の制御手段を備えている請求項２に記載のランフラットタイヤ用成形シェーピング装置。
【請求項４】
前記制御手段により流体圧力を制御して、前記サイド膨出用のシェーピングブラダー分割体の内圧が、第１段階で０．０５ＭＰａ〜０．２ＭＰａの低圧、第２段階で０．１ＭＰａ〜０．３ＭＰａの高圧となる設定としている請求項１または請求項２に記載のランフラットタイヤ用成形シェーピング装置。
【請求項５】
請求項１乃至請求項４のいずれか１項に記載の成形シェーピング装置によるランフラットタイヤ成形方法であって、
前記左右一対のサイド膨出用のシェーピングブラダー分割体を互いに軸方向に遊離させた状態で、前記生タイヤ基体の左右ビード部をシェーピングフォーマーのクランプリングに取り付けて固定し、
ついで、前記クランプリングを軸方向に接近移動させながら、前記サイド膨出用のシェーピングブラダー分割体の内部に流体を充填させて膨張させ、各サイド膨出用のシェーピングブラダー分割体を前記生タイヤ基体のサイドウォール部となる領域に直接的に接触させて径外方に膨出させているランフラットタイヤの成形方法。
【請求項６】
請求項２乃至請求項４のいずれか１項に記載の成形シェーピング装置を用い、
前記サイド膨出用のシェーピングブラダー分割体の膨張時に同時にセンター膨出用のシェーピングブラダー分割体を膨張させ、あるいは、
サイド膨出用のシェーピングブラダー分割体を膨張させて生タイヤ基体のサイドウォール部となる領域を膨出させた後に、該サイド膨出用のシェーピングブラダー分割体を収縮させ、その後、前記センター膨出用のシェーピングブラダー分割体を膨張させて前記生タイヤ基体の中央領域を所要形状に膨出させている請求項５に記載のランフラットタイヤの成形方法。
【発明の詳細な説明】
【技術分野】
【０００１】
本発明は、ランフラットタイヤ用シェーピング装置および該装置を用いたランフラットタイヤ成形方法に関し、特に、高硬度のサイドウォール部を所要形状に変形できるようにするものである。
【背景技術】
【０００２】
一般的な、タイヤの成形方法は、円筒状の生タイヤ基体の左右ビード部をシェーピングブラダーを備えたタイヤ用成形シェーピング装置のクランプに保持してセットし、両ビード部を軸方方向に近接させながら、シェーピングブラダーの内部へ流体を充填して径外方へ膨張させることにより、生タイヤ基体を膨張させてトロイダル形状に変形させている。その後、トロイダル形状の外周部にトレッド構成部材やベルトを貼り付け、シェーピング装置から取外し、金型に装填して所定のタイヤ形状に加硫成形している。
【０００３】
前記方法によって製造されたタイヤは、タイヤ形状の均一性が崩れた状態では車内音、シェイクなど各種の振動騒音が発生するため、タイヤの形状が均一である状態、即ちタイヤユニフォミティの安定した状態であることが望まれる。
前記タイヤユニフォミティを安定させるためには、生タイヤ基体をシェーピングブラダーで所望の形状になるよう均一に膨張させることが必要となるため、生タイヤ基体を外形にバラツキが無く均一に成形するシェーピングブラダーが種々提供されている。
【０００４】
例えば、特開２００４−１２２５９０号公報（特許文献１）のシェーピングブラダー１では、図９に示すように、クラウン部に対応する部分にメイン補強層２、３を複数層設け、該メイン補強層２、３にそれぞれ生カバーの周方向に対して傾斜するコード２ａ、３ａを内在し、該コード２ａ、３ａがメイン補強層２、３間で互いに交差している。
このように、シェーピングブラダー１のクラウン部に対応する部分に、伸びが抑制されたメイン補強層２、３を設けることで、生タイヤ基体のクラウン部の過度な膨張を抑制し、外形のバラツキを無くしている。
【０００５】
一般的な構造の空気入りタイヤの場合、特許文献１の構成とすると、成形時における外形のバラツキを低減できる作用を有するが、サイドウォール部を高硬度としてタイヤがパンクして空気圧がゼロになってもサイドウォールで車両を支持して一定距離は走行できるようにしたランフラットタイヤの場合には下記の問題がある。
ランフラットタイヤは、一般的な空気入りタイヤと比べて、サイドウォール部に硬度８０〜９５程度の非常に硬いゴムの補強層を有しているので、サイドウォール部がシェーピングブラダーによる膨張では膨出しにくい。サイドウォール部を所要形状にまで膨出させるために膨張したシェーピングブラダーの内圧を高くすると、クラウン部となる領域が過剰に膨らんだ状態で変形してしまい、外形にバラツキが発生する。
この場合、前記特許文献１に記載のようにシェーピングブラダーにクラウン部と対応する部分に補強層を設けて伸びを抑制しても、高硬度のサイドウォール部に対応する部分を膨出させるためには、シェーピングブラダー内の内圧を非常に高くする必要があるため、クラウン部と対応する部分の過剰は膨出を抑制できる効果は低い。
よって、トレッド構成部材やベルトの圧着工程（トレッドステッチダウン）に非常に時間がかかり、また工程が不安定なためタイヤユニフォミティも不安定になる。
【０００６】
【特許文献１】特開２００４−１２２５９０号公報
【発明の開示】
【発明が解決しようとする課題】
【０００７】
本発明は、前記問題に鑑みてなされたものであり、サイドウォール部にゴムの補強層を備えて高硬度としているランフラットタイヤにおいて、生タイヤ基体のサイドウォール部も所定形状に確実に膨出させることが出来ると共にクラウン部の過度の膨出を抑制できるランフラットタイヤ用成形シェーピング装置及び該装置を用いたランフラットタイヤの成形方法を提供することを課題としている。
【課題を解決するための手段】
【０００８】
前記課題を解決するために、第１の発明として、予め円筒状に成形されている生タイヤ基体を、軸方向に圧縮すると共に拡径してトロイダル形状に変形させるランフラットタイヤ用成形シェーピング装置であって、
前記生タイヤ基体の軸線方向の中央領域を挟む左右両側領域のみに夫々対応するように、軸方向に隔設された左右対称のサイド膨出用のシェーピングブラダー分割体を備え、これらサイド膨出用のシェーピングブラダー分割体を膨張時にサイドウォール部となる領域に直接に接触させて膨出させる構成としていることを特徴とするランフラットタイヤ用成形シェーピング装置を提供している。
【０００９】
前記のように、本発明では高硬度のサイドウォール部を有するランフラットタイヤ成形用としているため、軸方向に隔設された２つ左右一対のサイド膨出用シェーピングブラー分割体（以下、サイド・ブラダー分割体と略称する）を設け、膨張時に生タイヤ基体のサイドウォール部となる領域に直接接触させて加圧し、膨出しにくいサイドウォール部の領域を所要形状まで確実に膨出させている。
その際、サイド・ブラダー分割体の内圧はサイドウォール部と対応する領域を十分に膨出できる圧力に設定できると共に、この両サイド・ブラダー分割体の内圧による膨張圧を両サイドウォール部となる領域にのみ直接的に作用させているため、両サイドウォール部を確実に所要形状に膨張させることができる。
また、サイドウォール部となる領域に挟まれる中央領域の生タイヤ基体は、サイド・ブラダー分割体により直接的に膨出されるサイドウォール部の膨出に伴って間接的に膨出させることができる。このように、トレッド部となる中央領域には内圧を直接的に作用させないため、過度な膨出を抑制して適正な膨出とすることができる。
【００１０】
前記サイド・ブラダー分割体を膨張させた時に、生タイヤ基体の高硬度のサイドウォール用補強ゴムの張り付け領域に対して５０％〜１５０％の範囲で接触させて内圧を直接的に負荷することが好ましい。
さらに、前記接触範囲の下限はより好ましくは６０％、特に８０％以上が好ましく、上限はより好ましくは１２０％以下、さらに、１１０％以下、特に１００％以下が好ましい。即ち、サイドウォール部となる部分を、その幅の８０〜１００％の範囲にサイド・ブラダー分割体を直接接触させて内圧を負荷し、膨出させることが好ましい。
【００１１】
シェーピングブラダーは、前記左右対称の２個のサイド・ブラダー分割体だけも良いが、これら左右一対のサイド・ブラダー分割体の間に、前記中央領域に対応するセンター膨出用シェーピングブラダー分割体（以下、センター・ブラダー分割体と略称する）を設け、
前記サイド・ブラダー分割体と前記センター・ブラダー分割体とで、前記生タイヤ基体の全体を膨出させる構成とすることが好ましい。
【００１２】
前記センター・ブラダー分割体を設けた場合、前記サイド・ブラダー分割体の加圧用流体の供給経路を別経路とし、かつ、サイド・ブラダー分割体とセンター・ブラダー分割体への加圧流体の圧力および流体供給時期の制御手段を備えていることが好ましい。
この制御手段により、別経路とした流体供給経路にそれぞれ所要圧に設定した加圧流体を充填すると共に、加圧流体の供給時期を同時あるいは異なる時期に設定している。
前記制御手段により、生ゴム基体の硬度の相違する両サイドウォール部と対応する領域と、その間の中央領域のシェーピングを個別に行うと、全体としての設計通りの所定形状のシェーピングを精度よく行うことができる。
【００１３】
前記制御手段により流体圧力を制御して、前記サイド膨出用のシェーピングブラダー分割体の内圧が、第１段階で０．０５ＭＰａ〜０．２ＭＰａの低圧、第２段階で０．１ＭＰａ〜０．３ＭＰａの高圧となる設定としていることが好ましい。
このように、第１段階は低圧、第２段階は高圧とすると、高硬度のサイドウォール部となる領域の生タイヤ基体を、無理なくスムーズに変形することができる。なお、昇圧は２段階とせずに、３段階以上あるいは連続的に昇圧するようにしてもよい。
【００１４】
前記第１段階目を０．０５ＭＰａ〜０．２ＭＰａとしているのは、内圧が０．０５ＭＰａ未満の場合、両サイドウォール部が高硬度の補強層となっているので、サイドウォール部を膨張させる内圧に達せず、一方、０．２ＭＰａを超えるとサイドウォール部が急激に加圧することでサイドウォール部に損傷を発生させる恐れがあることによる。
第２段階目を０．１ＭＰａ〜０．３ＭＰａとしているのは、内圧が０．１ＭＰａ未満の場合、サイドウォール部を所望の形状にシェーピングする圧力とならず、０．３ＭＰａを超えると、サイドウォール部が外方向に過剰に膨張することに因る。
【００１５】
第２の発明として、前記した成形シェーピング装置によるランフラットタイヤ成形方法を提供している。
該ランフラットタイヤの成形方法は、前記左右一対のサイド膨出用のシェーピングブラダー分割体を互いに軸方向に遊離させた状態で、前記生タイヤ基体の左右ビード部をシェーピングフォーマーのクランプリングに取り付けて固定し、
ついで、前記クランプリングを軸方向に接近移動させながら、前記サイド膨出用のシェーピングブラダー分割体の内部に流体を充填させて膨張させ、各サイド膨出用のシェーピングブラダー分割体を前記生タイヤ基体のサイドウォール部となる領域に直接的に接触させて径外方に膨出させている。
【００１６】
また、サイド・ブラダー分割体とセンター・ブラダー分割体とを設けた場合には、
前記サイド・ブラダー分割体の膨張時に同時にセンター・膨出用のシェーピングブラダー分割体を膨張させ、あるいは、
サイド・ブラダー分割体を膨張させて生タイヤ基体のサイドウォール部となる領域を膨出させた後に、該サイド・ブラダー分割体を収縮させ、その後、前記センター・ブラダー分割体を膨張させて前記生タイヤ基体の中央領域を所要形状に膨出させている。
【００１７】
前記センター・ブラダー分割体を追加して設ける場合は、膨張したブラダー分割体同士が接触しない方が膨張がスムーズに行えるため、サイド・ブラダー分割体を膨張させて、サイドウォール部となる両側領域を膨出させた後に収縮させ、その後、センター・ブラダー分割体を膨張させる方が好ましい。その場合、生タイヤ基体は既に両側領域が膨出されているため、それに伴い中間の中央領域も既に膨出されているため、センター・ブラダー分割体の膨張により、この膨出された中央領域を整形する程度に直接的に接触させるだけとなるため、センター・ブラダー分割体の膨張が容易に行えると共に内圧を低くすることができる。
一方、センター・ブラダー分割体をサイド・ブラダー分割体と同時に膨張させると、成形時間の短縮化を図ることができるが、その場合、センター・ブラダー分割体が膨張した時に両側のサイド・ブラダー分割体と接触しない形状とし、かつ、サイド・ブラダー分割体の内圧よりも低くする必要がある。
【００１８】
いずれの場合も、生タイヤ基体のサイドウォール部の領域をサイド・ブラダー分割体で直接的に成形すると共に、中央部をセンター・ブラダー分割体により直接的に成形することで、生タイヤ基体の全体を設計通りのトロイダル形状にシェーピングすることができる。
その結果、次工程のトレッド構成部材の圧着工程（トレッドステッチダウン工程）の時間短縮が図れ、タイヤユニフォミティを安定化させることができる。
【発明の効果】
【００１９】
前述したように、本発明のランフラットタイヤ用成形シェーピング装置によれば、生タイヤ基体をトロイダル形状に膨出変形させる際に、左右対称のサイド・ブラダー分割体の膨張圧は両サイドウォール部と対応する領域に作用して膨出させるので、両サイドウォール部以外となる領域に補強層がない場合でも、この補強層のない部分が先に膨らんでしまうようなことがなく、所定形状のシェーピングが的確になされるので、トレッドステッチダウン工程の短縮化が図られると共に、工程が安定するため、タイヤユニフォミティも安定化する。
【００２０】
特に、前記サイド・ブラダー分割体を２段階で昇圧すると、生タイヤ基体の高硬度のサイドウォール部となる領域を無理なく膨出させることが出来ると共に、膨出し過ぎることが無く、所定の全体形状のシェーピングを安定的に行うことができる。
さらに、前記サイド・ブラダー分割体の間のセンター・ブラダー分割体を設けると、生タイヤ基体のトレッド部となる中央領域も適宜な内圧で直接的に加圧して、トレッド部となる領域の設計通りの膨出を精度よく行うことができ、生タイヤ基体の全体を所要のトロイダル形状に確実に成形することができる。
【発明を実施するための最良の形態】
【００２１】
以下、本発明の実施形態を、図面を参照しながら説明する。
図１〜図５は第１実施形態のランフラットタイヤ用成形シェーピング装置１０を示す。図１に概略的に示すように、シェーピング装置１０の基本構成は、一般的な構成で、概要を説明すると、一対の可動ホイール２１、２１を主軸２２に串刺し状に保持すると共に、主軸２２上に相対的に近接離反自在に取り付けている。該可動ホイール２１、２１外周部には、図２に示すようにクランプリング２３、２３を設けていると共に、図３に示すように、生タイヤ基体３０を固定保持するビード保持部２５を備えている。
前記左右の可動ホイール２１、２１の対向する内面側にそれぞれサイド膨出用シェーピングブラダー分割体（サイド・ブラダー分割体）１１、１１を固定し、可動ホイール２１、２１と連動して近接離反させる構成としている。これら左右のサイド・ブラダー分割体は左右対称形状としている。
【００２２】
詳しくは、前記各サイド・ブラダー分割体１１は、図２に示すように、円環形状のブラダー胴部１１ａの両側部１１ｂ、１１ｂの先端に屈折させた係止部１１ｄ、１１ｄを設け、これら係止部１１ｄ、１１ｄの間を内周側開口１１ｃとしている。前記係止部１１ｄ、１１ｄはブラダー保持材２４に固定している。
【００２３】
前記一対の可動ホイール２１の対向する内面側には、それぞれブラダー分割体１１を固定保持する一対の前記ブラダー保持材２４を設けている。該ブラダー保持材２４は、図２（Ｂ）に示すように、中央に配置される第１部材２４Ａと第１部材２４Ａの両側に配置される一対の第２部材２４Ｂ、２４Ｂとからなる。前記第２部材２４Ｂは、前記分割ブラダー１１の係止部１１ｄを固定する環状の嵌合溝２４ａを備え、第２部材２４Ｂの嵌合溝２４ａに係止部１１ｄを係合した状態で第１部材２４Ａを挟み込み、分割ブラダー１１を固定する。
【００２４】
前記左右のブラダー保持材２４、２４は左右のサイド・ブラダー分割体１１、１１が径方向に膨張しても互いに接触することは寸法間隔をあけている。これらブラダー保持材２４、２４には夫々流体充填流路４０を設け、該流体充填流路４０からブラダー分割体１１、１１の内周側開口１１ｃに加圧流体を封入する構成としている。両側のブラダー保持材２４、２４には１本の加圧流体供給管（図示せず）を接続し、同時に同一圧の加圧流体を供給している。
【００２５】
前記生タイヤ基体３０は、ランフラットタイヤ用の生ゴムタイヤ基体からなり、カーカススプライ、ビードコア、ビードエーペックスゴム、インナーライナゴム、補強用の高硬度のサイドウォールゴムを含めて、予め円筒状に成形されている。
前記生タイヤ基体３０は、図３に示すように、中央領域３１がタイヤのトレッド部となる領域であり、左右両側部に複数の補強ゴム層を設けてサイドウォール部となる領域３２、３２を備え、両端にはビード保持部２５に固定保持されるビード部３３を備えている。
【００２６】
次に、前記構成のランフラットタイヤ用成形シェーピング装置１０による成形方法を説明する。
図１（Ａ）および図３は第１工程を示し、サイド・ブラダー分割体１１、１１をブラダー保持材２４、２４に挟み込んで固定し、これらブラダー保持材２４を生タイヤ基体３０のサイドウォール部となる領域３２にそれぞれ対向する位置に配置させる。
円筒状の生タイヤ基体３０は軸線方向の両端のビード部３３、３３をビード保持部２５、２５に固定して、主軸２２を中心軸線として図中水平方向に装架している。該生タイヤ基体３０の左右両側のサイドウォール部となる領域３２、３２は、サイド・ブラダー分割体１１、１１の外側に配置している。
【００２７】
図１（Ｂ）および図４は第２工程を示し、一対の可動ホイール２１、２１を相対近接移動させることで、生タイヤ基体３０のビード部３３、３３を軸方向に近接させながら、両サイド・ブラダー分割体１１、１１の内部に流体を充填し、サイド・ブラダー分割体１１のブラダー胴部１１ａを径外方へ膨張させる。
【００２８】
両側のサイド・ブラダー分割体１１への充填する流体は２段階で昇圧している。
第１段階目では、サイド・ブラダー分割体１１の内圧を０．１ＭＰａまで昇圧させている。なお、０．０５ＭＰａ〜０．２ＭＰａで昇圧させてもよい。
前記第１段階目の昇圧により、膨張させた両側のサイド・ブラダー分割体１１、１１は生タイヤ基体３０のサイドウォール部となる領域３２に接触させる。
第２段階目では、０．２ＭＰａで昇圧させ、好ましくは０．１ＭＰａ〜０．３ＭＰａで昇圧させる。前記第２段階目の昇圧では、前記領域３２に接触させたサイド・ブラダー分割体１１、１１の内圧により、該領域３２を次第に膨出させていき、該領域３２の膨出に伴って中央領域３１も膨出させる。最終的に、生タイヤ基体３０を所定のトロイダル状に成形している。
【００２９】
前記両側のサイド・ブラダー分割体１１、１１は、それぞれ対応するサイドウォール部となる領域３２、３２に対して、膨張時に８０〜１００％の範囲で接触させて、これら領域３２、３２を膨出している、
【００３０】
図５は第３工程を示し、サイド・ブラダー分割体１１、１１を膨張させた状態を持続させて、生タイヤ基体３０を所定形状で保持したままで、生タイヤ基体３０の中央領域３１にトレッドゴムを含むトレッド構成部材５０を、ステッチャー６０を用いて貼り付ける。
【００３１】
前記成形方法によると、両サイドウォール部となる領域３２、３２以外の部分に補強層がない場合でも、第１段階目の昇圧で両側の前記領域３２、３２だけにサイド・ブラダー分割体１１、１１の膨張圧が作用し、中央領域３１には直接的に内圧は作用せず、両側の領域３２、３２の膨出に伴って膨出していくだけであるため、補強層のない部分が中央領域３１が先に膨らんでしまうことがない。さらに、第２段階目の昇圧では、サイドウォール部となる領域３２、３２を所望の形状にシェーピングするため、トレッドステッチダウン工程の短縮化が図られ、工程が安定するので、タイヤユニフォミティも安定化する。
【００３２】
図６乃至図８は本発明の第２実施形態を示す。
第２実施形態のシェーピング装置１０’は、図６に示すように、第１実施形態のサイド・ブラダー分割体１１、１１の間に、さらに、センター膨出用のシェーピングブラダー分割体（センター・ブラダー分割体）１２を備えている。
【００３３】
前記センター・ブラダー分割体１２は、サイド・ブラダー分割体１１、１１と同じ構成としており、主軸上にセンター・ブラダー分割体１２を固定保持するブラダー保持材２６を設けている。該ブラダー保持材２６も、第１実施形態に係るブラダー分割体１１、１１を固定保持するブラダー保持材２４と同様の構成としている。
前記センター・ブラダー分割体１２への流体充填系統は、両側のサイド・ブラダー分割体１１、１１への流体充填系統とは別とする。
なお、他の構成は第１実施形態と同様のため、同一の符号を付して説明を省略する。
【００３４】
次に、第２実施形態のタイヤの成形方法を説明する。
第１工程は、図６に示すように、サイド・ブラダー分割体１１、１１を生タイヤ基体３０の両側サイドウォール部となる領域３２と対向する位置に配置すると共に、センター・ブラダー分割体１２をトレッド部となる中央領域３１と対向する位置に配置する。
その後、第１実施形態の第１工程と同様、生タイヤ基体３０のビード部３３をビード保持部２５に固定保持する。
【００３５】
第２工程は、第１実施形態の第２工程と同様、図７に示すように、一対の可動ホイール２１、２１を相対近接移動させることで、生タイヤ基体３０のビード部３３、３３を軸方向に近接させながら、両側のサイド・ブラダー分割体１１、１１の内部のみに流体を充填し、サイド・ブラダー分割体１１、１１のブラダー胴部１１ａを径外方へ膨張させ、
サイド・ブラダー分割体１１、１１の膨張圧で、生タイヤ基体３０のサイドウォール部となる領域３２、３２を膨出させる。
【００３６】
第３工程は、図８に示すように、サイド・ブラダー分割体１１、１１に充填した流体を排出し、サイド・ブラダー分割体１１、１１を収縮させる。その後、サイド・ブラダー分割体１１、１１とは流体充填系統を別とするセンター・ブラダー分割体１２に流体を充填し、さらに、生タイヤ基体３０のビード部３３、３３を軸方向に近接させながら、センター・ブラダー分割体１２の膨張圧によって生タイヤ基体３０の中央領域３１を膨張させる。  その後、センター・ブラダー分割体１２を径外方へ膨張させた状態を保持し、生タイヤ基体３０を所定形状に保持したままで、生タイヤ基体３０の中央領域３１にトレッドゴムを含むトレッド構成部材５０を、ステッチャー６０を用いて貼り付ける。
【００３７】
前記方法では、タイヤ用成形シェーピング装置１０’のサイド・ブラダー分割体１１が生タイヤ基体３０の両側の領域３２、３２を直接的に接触して膨出させると共に、センター・ブラダー分割体１２が生タイヤ基体３０の中央領域３１を直接的に接触して膨出させている。その結果、生タイヤ基体３０の全領域がブラダー分割体に直接的に接触されて膨出させることとなるため、タイヤ全体で設計通りの膨出変形がなされ、所定のトロイダル形状に精度よく成形できる。
特に、サイドウォール部となる両側領域３２とトレッド部となる中央領域３１のシェーピングをそれぞれ対応した内圧を負荷して、個別に膨出させているため、全体として所定形状のシェーピングがより的確になされる。
【００３８】
なお、前記実施形態では、サイド・ブラダー分割体１１、１１を膨張して収縮させた後に、センター・ブラダー分割体１２を膨張させているが、センター・ブラダー分割体をサイド・ブラダー分割体１１、１１と同時に膨出させてもよい。その場合、センター・ブラダー分割体１２が膨張時に互いに接触しない設定とすると共に、センター・ブラダー分割体の内圧をサイド・ブラダー分割体の内圧よりも低く設定している。
【００３９】
（実施例）
本発明の成形シェーピング装置を用いて、ランフラットタイヤ用の生タイヤ基体のシェーピングを行い、トロイダル形状とした生タイヤ基体にトレッド構成部材を貼り付ける工程にかかる成形時間を測定した。
また、ＪＡＳＯ  Ｃ６０７・２０００の試験条件で、完成したタイヤのラジアルフォースバリエーション（ＲＦＶ）を測定した。ＲＦＶ値の測定は専用のタイヤユニフォミティ試験機で行った。
【００４０】
実施例Ａは、前記本発明の第１実施形態の左右一対のサイド・ブラダー分割体のみを用いてランフラットタイヤ用生タイヤ基体を成形した。
実施例Ｂは、前記本発明の第１実施形態の左右一対のサイド・ブラダー分割体のみを用い、膨張時に左右のサイド・ブラダー分割体を接触させて一体とし、ランフラットタイヤ用生タイヤ基体を成形した。
実施例Ｃは、前記本発明の第２実施形態の左右一対のサイド・ブラダー分割体とセンター・ブラダー分割体の３個のブラダー分割体を用い、サイド・ブラダー分割体で膨出してサイドウォール部となる領域３２、３２を膨出させた後にこれら分割体を収縮させ、ついで、センター・ブラダー分割体を膨張させて中央領域３１を膨出させた。
実施例Ａ〜Ｃでは、生タイヤ基体に対するブラダー分割体の成形圧を０．１８ＭＰａとし、該成形圧を４５秒間負荷してタイヤを作成した。
【００４１】
従来例では、１個のシェーピングブラダーを用いて、実施例Ａ〜Ｃと同じ生タイヤ基体の成形をおこなった。生タイヤ基体に対するブラダーの成形圧は０．２２ＭＰａとし、該成形圧を４５秒間負荷した。
【００４２】
従来例および実施例では、上記条件でそれぞれ２０本タイヤを作成し、ＲＦＶ値を２０回測定してその平均値を求めた。従来例および実施例の測定結果を表１に示す。成形時間指数は、従来例の成形時間指数を１００として計算した。なお、タイヤユニフォミティは、ＲＦＶ値が小さいほど安定していることになる。
【００４３】
【表１】
2007296744.tif 000003
【００４４】
表１に示すように、本発明のブラダー分割体を用いて成形した実施例Ａ〜Ｃのタイヤは、従来例と比較して、ＲＦＶ値が小さく、タイヤユニフォミティが安定していると共に、トレッド構成部材を貼り付けるまでの成形時間も短くなることが確認された。
また、実施例ＣではＲＦＶ値が特に低く、サイド・ブラダー分割体に加えてセンター・ブラダー分割体を備えることで、タイヤユニフォミティが非常に安定することも確認された。
【図面の簡単な説明】
【００４５】
【図１】（Ａ）（Ｂ）は本発明の第１実施形態の作動工程を示す概略図である。
【図２】（Ａ）は図１のシェーピング装置の構成を示す断面図、（Ｂ）は（Ａ）の要部を拡大した図である。
【図３】第１実施形態のタイヤ成形方法の第１工程を示す図である。
【図４】前記成形方法の第２工程を示す図である。
【図５】前記成形方法の第３工程を示す図である。
【図６】本発明の第２実施形態のシェーピング装置を用いた成形方法の第１工程を示す図である。
【図７】前記第２実施形態の成形方法の第２工程を示す図である。
【図８】前記第２実施形態の成形方法の第３工程を示す図である。
【図９】従来例を示す図である。
【符号の説明】
【００４６】
１０  シェーピング装置
１１、１１  サイド膨出用シェーピングブラダー分割体（サイド・ブラダー分割体）
１２  センター膨出用シェーピングブラダー分割体（センター・ブラダー分割体）
２１、２２  可動ホイール
２４  ブラダー保持材
３０  生タイヤ基体
３１  中央領域
３２  サイドウォール部となる両側の領域
３３  ビード部
５０  トレッド構成部材
【図１】
2007296744.tif 000004
【図２】
2007296744.tif 000005
【図３】
2007296744.tif 000006
【図４】
2007296744.tif 000007
【図５】
2007296744.tif 000008
【図６】
2007296744.tif 000009
【図７】
2007296744.tif 000010
【図８】
2007296744.tif 000011
【図９】
2007296744.tif 000012